(57)【要約】【課題】遊技機の遊技機島への取付作業を容易にする手段を提供する。【解決手段】遊技機用係止片セット冶具１０は、左右一対の下側係止片装着穴２１を形成したベースプレート２０と、ベースプレートの前後左右方向の傾斜角度調整手段２４と、ベースプレートに立設した垂直フレーム４１と、垂直フレームの上端部に設けた左右一対の上側係止片当接プレート４３と、ベースプレート又は垂直フレームに固設した水準器５０からなる。上枠８１に固着した上側係止片６０へ上側係止片当接プレート４３を当接させ、かつ水準器と傾斜角度調整手段により、水平を保ったベースプレートを下枠８４に載置し、下側係止片装着穴２１に装着した下側係止片７０を下枠に固着する。下側係止片は表面に複数本の同幅の溝７５を隣接して形成した固定ブラケット７１と、裏面に凸条７９を形成した調整ブラケット７２からなり、凸条を溝のうちのいずれかに嵌着して構成する。【選択図】図７
2006340882.tif 000002
【特許請求の範囲】
【請求項１】
遊技機島の上枠に上側係止片を固着し、遊技機島の下枠に下側係止片を固着し、遊技機の上端部を前記上側係止片に係止し、遊技機の下端部を前記下側係止片に係止することにより、遊技機を所定角度で前後方向に傾斜させて遊技機島に取り付けるため上枠に固着した前記上側係止片に対して前記下側係止片を前記下枠の所定箇所に位置決めして固着する遊技機用係止片セット冶具であって、
左右一対の下側係止片装着穴を形成すると共に前後及び左右方向の傾斜角度調整手段を有するベースプレートと、ベースプレートに立設した垂直フレームと、垂直フレームの上端部に設けた左右一対の上側係止片当接プレートと、前記ベースプレート又は前記垂直フレームに固設した水準器から成り、
上枠に上側係止片を固着し、固着した上側係止片に上側係止片当接プレートを当接させ、かつ水準器を見ながら前記傾斜角度調整手段を操作することにより、水平を保ってベースプレートを下枠に載置し、下側係止片装着穴に下側係止片を装着し、装着した下側係止片を下枠に固着するようにしたことを特徴とする遊技機用係止片セット冶具。
【請求項２】
前記垂直フレームを前記ベースプレートに着脱可能に組み付け、かつ前記ベースプレートに、前記下枠の端部に当接してベースプレートの下枠上における前後の位置決めを可能にするストッパを前後方向の位置調節可能に設けたことを特徴とする請求項１に記載の遊技機用係止片セット金具。
【請求項３】
遊技機島の上枠に固着した上側係止片に上端部を係止した遊技機の下端部を係止することにより該遊技機を所定の前後角度で傾斜させて遊技機島に取り付けるため、前記上側係止片に対し遊技機島の下枠の所定箇所に位置決めして固着される遊技機用下側係止片であって、遊技機島の下枠に固着される固定ブラケットと、遊技機の下端部が当接して係止される立面を有し前記固定ブラケットに着脱可能に固定される調整ブラケットから成り、前記固定ブラケットの表面に遊技機島の左右方向に延びる複数本の同幅の溝を隣接して形成し、前記調整ブラケットの裏面に前記溝に嵌合する少なくとも１本の凸条を形成し、凸条を前記複数本の溝のうちのいずれかに嵌合させることにより固定ブラケットに対し調整ブラケットの前後位置を位置決めするようにしたことを特徴とする遊技機用下側係止片。
【請求項４】
前記溝の断面形状及び前記凸条の断面形状を逆三角形に形成したことを特徴とする請求項３に記載の遊技機用下側係止片。
【請求項５】
前記調整ブラケットに前後方向に延びる長穴を形成し、前記固定ブラケットにネジ穴を形成し、ネジを前記長穴を通して前記ネジ穴に螺号することにより該ネジで調整ブラケットを固定ブラケットに前後位置調整可能に固定するようにしたことを特徴とする請求項３に記載の遊技機用下側係止片。
【発明の詳細な説明】
【技術分野】
【０００１】
本発明は、遊技機島へパチンコ機などの遊技機を取付ける際に、遊技機が所定角度で前後方向に傾斜するように遊技機の上端部と下端部が当接して遊技機を位置決めする上側係止片と下側係止片をそれぞれ遊技機島の上枠と下枠の所定箇所に固着するときに用いる遊技機用係止片セット冶具及び遊技機用下側係止片に関する。
【背景技術】
【０００２】
遊技機を遊技機島に所定の前後角度で傾斜して取付ける方法として、特許文献１には、遊技機島の上枠に遊技機の上端部が係止する上側係止片を、遊技機島の下枠に遊技機の下端部が係止する下側係止片をそれぞれ前後方向に進退可能に組み付け、上側係止片と下側係止片の進退量を調整することにより、遊技機島の上枠と下枠間に遊技機をはめ込んだとき遊技機を所定の前後角度で傾斜させることができる取付方法が開示されている。
【特許文献１】特開２００３−６２３０１号公報
【発明の開示】
【発明が解決しようとする課題】
【０００３】
従来の取付方法では、遊技機一台毎に上側係止片と下側係止片の前後方向の進退量を調整しなければならず、多数の遊技機を入れ替える場合、両係止片の調整作業に甚だ手間がかかり、遊技機入れ替えのコストが高くなる。
【０００４】
本発明は上記の問題を鑑みてなされたものであって、遊技機の前後方向の傾斜角度を正確に設定できると共に、傾斜角度を設定するための上側掛止片と下側係止片をそれぞれ上枠と下枠の所定位置に簡単、迅速に取り付けることを可能にし、もって、遊技機の遊技機島への取付作業を容易にできる手段を提供することを目的とする。
【課題を解決するための手段】
【０００５】
上記目的を達成するため請求項１に記載の本発明は、遊技機島の上枠に上側係止片を固着し、遊技機島の下枠に下側係止片を固着し、遊技機の上端部を前記上側係止片に係止し、遊技機の下端部を前記下側係止片に係止することにより、遊技機を所定角度で前後方向に傾斜させて遊技機島に取り付けるため上枠に固着した前記上側係止片に対して前記下側係止片を前記下枠の所定箇所に位置決めして固着する遊技機用係止片セット冶具であって、左右一対の下側係止片装着穴を形成したベースプレートと、ベースプレートの前後及び左右方向の傾斜角度調整手段と、ベースプレートに立設した垂直フレームと、垂直フレームの上端部に設けた左右一対の上側係止片当接プレートと、前記ベースプレート又は前記垂直フレームに固設した水準器から成り、上枠に上側係止片を固着し、固着した上側係止片に上側係止片当接プレートを当接させ、かつ水準器を見ながら前記傾斜角度調整手段を操作することにより、水平を保ってベースプレートを下枠に載置し、下側係止片装着穴に下側係止片を装着し、装着した下側係止片を下枠に固着するようにしたことを特徴とする。
そして、好ましくは前記垂直フレームを前記ベースプレートに着脱可能に組み付け、かつ前記ベースプレートに、前記下枠の端部に当接してベースプレートの下枠上における前後の位置決めを可能にするストッパを前後方向の位置調節可能に設ける。
また、請求項３に記載の発明は、遊技機島の上枠に固着した上側係止片に上端部を係止した遊技機の下端部を係止することにより該遊技機を所定の前後角度で傾斜させて遊技機島に取り付けるため、前記上側係止片に対し遊技機島の下枠の所定箇所に位置決めして固着される遊技機用下側係止片であって、遊技機島の下枠に固着される固定ブラケットと、遊技機の下端部が当接して係止される立面を有し固定ブラケットに着脱可能に固定される調整ブラケットから成り、前記固定ブラケットの表面に遊技機島の左右方向に延びる複数本の同幅の溝を隣接して形成し、前記調整ブラケットの裏面に前記溝に嵌合する少なくとも１本の凸条を形成し、凸条を前記複数本の溝のうちのいずれかに嵌合させることにより固定ブラケットに対し調整ブラケットの前後位置を位置決めするようにしたことを特徴とする。
そして、好ましくは前記溝の断面形状及び前記凸条の断面形状を逆三角形に形成する。
また、好ましくは前記調整ブラケットに前後方向に延びる長穴を形成し、前記固定ブラケットにネジ穴を形成し、ネジを前記長穴を通して前記ネジ穴に螺号することにより該ネジで調整ブラケットを固定ブラケットに前後位置調整可能に固定する。
【発明の効果】
【０００６】
本発明に係る遊技機用係止片セット冶具を使って遊技機を遊技機島に取り付けるには、上枠に予め上側係止片を固着しておき、固着した上側係止片に上側係止片当接プレートを当接させ、その際水準器を見てベースプレートが水平となるように傾斜角度調整手段を操作して、下枠に載置し、載置したベースプレートの下側係止片装着穴に下側係止片を装着、装着した下側係止片を下枠に固着する。
こうすることにより、上枠に固着した上側係止片に対して下枠に固着した下側係止片が所定位置に配置されることになるので、遊技機の上端部を上側係止片に係止し、下端部を下側係止片に係止することにより、遊技機は所定の前後方向傾斜角度で遊技機島に取り付けられる。
本発明によれば、予め遊技機島の上枠に上側係止片を固着しておき、次ぎに、冶具を使って下側係止片を下枠の所定位置に固着するだけで、遊技機を所定の前後方向傾斜角度で遊技機島に取り付けることができる。そのため、遊技機の取付作業が容易になる。
また、上枠に固着した上側係止片に対し、下側係止片は冶具の寸法形状で設定される所定位置を保持して下枠に配置固定できるので、多数の遊技機を正確に所定の前後方向傾斜角度で遊技機島に取り付けることができる。
また、垂直フレームを前記ベースプレートに着脱可能に組み付け、ベースプレートに、下枠の端部に当接してベースプレートの下枠上における前後の位置決めを可能にするストッパを前後方向の位置調節可能に設けた場合、上枠の所定部位、例えば、上枠の後端面に固着した上側係止片に対して下側係止片を下枠の所定位置に固着し、その際、前記ストッパが下枠の所定部位に当接する前後位置を設定すれば、続いて隣りの遊技機を取り付けるとき、垂直フレームをベースプレートから分離し、ストッパを下枠の所定部位に当接してベースプレートを下枠に載置し、下側係止片装着穴に下側係止片を装着することにより、ベースプレートを使うだけで先に取り付けた両係止片と同じように、上枠の所定部位に固着した上側係止片に対し、下側係止片を下枠の所定位置に固着できる。そのため、より一層両係止片の固着作業、ひいては遊技機の取付作業が容易になる。
また、本発明に係る遊技機用下側係止片によれば、遊技機島の所定位置に固定した固定ブラケットに対し調整ブラケットの前後位置を凸条が嵌合する溝を変えることにより調整できるので、遊技機の前後方向の傾斜角度を、固定ブラケットを下枠に固定した後でも調整可能となり、遊技機の遊技機島への取付作業性が向上する。とくに本発明では溝を同幅にしたので、遊技機島の前後傾斜角度の設定が容易かつ正確に行える。
さらに、溝及び凸条の断面形状を逆三角形にすることにより、凸条が溝に嵌合し易くなり、かつ固定ブラケットに対する調整ブラケットの前後位置ひいては遊技機の前後傾斜角度をより正確に設定できる。
さらにまた、調整ブラケットの長穴を通してネジを固定ブラケットのネジ穴にねじ込んで調整ブラケットを固定ブラケットに着脱可能かつ前後位置調整可能に組み付けたので、調整ブラケットの位置調整作業がし易く、より一層遊技機の遊技機島への取付作業性が向上する。
【発明を実施するための最良の形態】
【０００７】
遊技機用係止片セット冶具であって、左右一対の下側係止片装着穴を形成したベースプレートと、水平プレート、水平プレートに立設固定した垂直フレーム、垂直フレームの上端部に固着した水平フレームの左右両端部設けた左右一対の上側係止片当接プレート、水平プレートに立設固定したサイドフレームの上端部に固設した水準器から成り、水平プレートをベースプレートにトグルクランプで着脱可能に組み付け、かつベースプレートに、前記下枠の端部に当接してベースプレートの下枠上における前後の位置決めを可能にするストッパボルトを前後方向の位置調節可能に設けると共に、裏面から突出して前後及び左右方向の傾斜角度を調整する傾斜角度調整用ボルトを取付る。
上枠に上側係止片を固着し、固着した上側係止片に上側係止片当接プレートを当接させ、かつ水準器を見ながら傾斜調整ボルトを操作し、水平を保ってベースプレートを下枠に載置する。そして、下側係止片装着穴に下側係止片を装着し、装着した下側係止片を下枠に固着する。
そして、下側係止片を遊技機島の下枠に固着される固定ブラケットと、遊技機の下端部が当接して係止される立面を有し固定ブラケットに着脱可能に固定される調整ブラケットで構成する。固定ブラケットの表面には遊技機島の左右方向に延びる複数本の同幅の溝を隣接して形成し、調整ブラケットの裏面に溝に嵌合する少なくとも１本の凸条を形成し、凸条を複数本の溝のうちのいずれかに嵌合させることにより固定ブラケットに対し調整ブラケットの前後位置を位置決めできるようにする。
また、溝の断面形状及び凸条の断面形状を逆三角形に形成する。さらに調整ブラケットに前後方向に延びる長穴を形成し、固定ブラケットにネジ穴を形成し、蝶ネジを長穴を通してネジ穴に螺号することにより蝶ネジで調整ブラケットを固定ブラケットに前後位置調整可能に固定する。
【実施例】
【０００８】
本発明の実施例に係る遊技機用係止片セット金具１０を図１及び図２に示す。当該セット金具１０はベースプレート２０、水平プレート４０、２本の垂直フレーム４１、両垂直フレーム４１の上端部に固着した水平フレーム４２、その左右両端部に固着した上側係止片当接プレート４３及び水準器５０を備えている。
【０００９】
ベースプレート２０は鉄板製で門形の平面形状を有し、左右両端部の後縁に略長方形の下側係止片装着穴２１が形成されている。この装着穴２１の後縁内面に設けた貫通穴に２本のピン２２が前後方向に進退可能に挿入され、ピンヘッドで貫通穴から抜け止めされている。このピン２２の内端部にプレッシャプレート２３が固着され、スプリングで装着穴２１の前端面方向へ付勢されている。
【００１０】
ベースプレート２０の左右両端部の後縁と各装着穴の前縁に計４個のネジ穴が形成され、図３に拡大して示すように各ネジ穴にベースプレート２０の傾斜角度調節ボルト２４がねじ込まれ、該ボルト２４にロックナット２５がはめ込まれている。このボルト２４のベースプレート２０の裏面からのボルト先端部の突出量を調整してロックナット２５でロックすることにより、ベースプレート２０を遊技島の下枠に載置したときの同プレート２０の前後左右両方向の傾斜を調整できる。
【００１１】
ベースプレート２０の上面には左右一対のトグルクランプ２６が組み付けられている。このトグルクランプ２６は水平プレート４０をベースプレート２０に挟持して着脱可能に固着するために設けられている。
【００１２】
ベースプレート２０の前端面には図２及び図３に図示するように、左右一対のブラケット２７がネジ２８で固着され、垂下している。このブラケット２７にはネジ穴が形成され、ネジ穴にベースプレート２０の前後位置調整用ストッパボルト２９がはめ込まれ、ブラケット２７の裏面から突出している。そして、該ストッパボルト２８にロックナット３０がはめ込まれている。このストッパボルト２９のブラケット２７からの突出量を調整してロックナット３０でロックすることにより、詳しくは後述するが、遊技機島の下枠の前端面を基準にしてベースプレート２０ひいては下側係止片装着穴２１を下枠上の所定の前後位置に設定できる。
【００１３】
水平プレート４０の後端面に垂直プレート４４がネジ４４で固着され、垂直プレート４４に２本の垂直フレーム４１がネジ４５で固着されている。また、垂直プレート４４にネジ４７で固着して立設したサイドフレーム４８の上端面に水準器５０が固定されている。
【００１４】
図２に示すように、水平プレート４０の前端面には位置決めブラケット５１がネジ５２で固着されて、垂下している。この位置決めブラケット５１をベースプレート２０の前端面に当接するようにして水平プレート４０をベースプレート２０に載置することにより、ベースプレート２０の前端面を基準にして水平プレート４０の前後の位置決めができる。
【００１５】
２本の垂直フレーム４１の上端部にネジ５３で水平フレーム４２が固着され、水平フレーム４２の左右両端部にスペーサー５４を介して上側係止片当接プレート４３がネジ５５で固着され上方に延びている。
【００１６】
本実施例に係る遊技機用係止片セット冶具１０の構造は以上の通りであって、次ぎに同冶具１０を用いて遊技機島の上枠と下枠に取り付けられる上側係止片を図４に、また下側係止片を図５に示す。図４に示すように、上側係止片６０は固定ブラケット６１と補助ブラケット６２の２片から成る。そして、固定ブラケット６１は断面Ｌ字形のベース部６２と、このベース部６２の下端部に一体に垂設した足片部６３と、足片部６３の下端部から横（裏）に突出する突条部６４を備え、ベース部６２にはビス用の通孔６５が形成されている。補助ブラケット６２は当接面６６と、当接面６６の下端部に設けた溝部６７からなる。補助ブラケット６２は突条６４に溝部６７を嵌合するとことにより着脱可能に、かつ当接面６６が足片部６３に密接するように固定ブラケット６１に装着できる。
【００１７】
図５に示すように、下側係止片７０は固定ブラケット７１と調整ブラケット７２及び蝶ネジ７３から成る。固定ブラケット７１の４隅にはビスを通す通孔７４が形成されている。また、固定ブラケット７１の表面には左右方向に延びる複数本の溝７５が同幅でかつ隣接して形成されている。これらの溝は断面形状が逆三角形に形成されている。さらに、溝７５の列の隣りに蝶ネジ７３が螺号するネジ穴７６が形成されている。調整ブラケット７２は断面Ｌ字形を有し、前端部に立面７７を有する。底面には蝶ネジ７３が通る長穴７８が形成され、裏面に固定ブラケット７１の溝７５に嵌合する断面逆三角形の２本の突条７９が設けられている。調整ブラケット７２は突条７９をいずれかの溝７５に嵌合させ、蝶ネジ７３で締め付けることにより固定ブラケット７１に一体連結される。そして、突条７９の嵌合する溝７５を変えることにより、調整ブラケット７２の立面７８の、固定ブラケット７１の前端面からの突出量を調整できる。
【００１８】
次ぎに、本実施例に係る遊技機用係止片セット冶具１０の使用方法を説明する。図６及び図７に示すように、予め上側係止片６０の固定ブラケット６１を遊技島８０の上枠８１の後端面８２の左右２箇所にビス８３で固定し、各固定ブラケット６１に必要に応じて、補助ブラケット６２を装着する。例えば遊技機の上端部裏面に金具が取り付けられている場合、補助ブラケット６２を外して足片部６３の見かけの厚みを薄くし、金具が取り付けられていない場合には補助ブラケット６２を装着して足片部６３の見かけの厚みを厚くする。
【００１９】
セット冶具１０はベースプレート２０の前端面に水平プレート４０の位置決めブラケット５１を当接して、ベースプレート２０上における水平プレート４０の前後位置を所定位置に設定し、トグルクランプ２６を閉じて水平プレート４０及びこれに立設されている垂直フレーム４１をベースプレート２０に一体連結した状態で、上枠８１に固着されている上側係止片６０の足片部６３に上側係止片当接プレート４３を当接させ、その際、水準器５０を見ながら傾斜角度調整ボルト２４を操作し、ベースプレート２０が水平に下枠８４に載置されるようにベースプレート２０の前後及び左右方向の傾きを調整する。そして、載置したベースプレート２０の下側係止片装着穴２１に下側係止片７０を装着する。下側係止片７０はプレッシャプレート２３により装着穴２１の前端面に押しつけられて装着穴２１に嵌合する。そこで、下側係止片７０の固定ブラケット７１をビスで下枠８４に固着する。こうすることにより、図８に示すように、上枠８１に固着した上側係止片６０に対して下枠８４に固着した下側係止片７０が所定位置に配置されることになる。そこで、図９に示すように遊技機９０の上端部を上側係止片６０に係止し、下端部を下側係止片７０に係止し、これにより遊技機９０を所定の前後方向傾斜角度で遊技機島８０に取り付ける。
【００２０】
下側係止片７０の設置位置をセット金具１０で設定する際、図３に示すようにロックナット２５で傾斜角度調整ボルト２４をロックすると共に、ベースプレート２０の前端面に設けたストッパボルト２９を下枠８４の前端面に当接するように調節してロックナット３０でロックしておく。そうしておいて、続いて隣りの遊技機９０を取り付けるとき、トグルクランプ２６を開いて、水平プレート４０及びこれと一体の垂直フレーム４１をベースプレート２０から分離し、図１０に示すように、ベースプレート２０だけを用い、ストッパボルト２９を下枠８４の前端面に当接してベースプレート２０を下枠８４に水平に載置し、下側係止片装着穴２１に下側係止片７０を装着する。これにより、ベースプレート２０を使うだけで先に取り付けた両係止片６０，７０と同じように、上枠８１の上端部後端面８２に固着した上側係止片６０に対し、下側係止片７０を下枠８４の所定位置に固着する。
【００２１】
下枠８４の所定位置に固着した下側係止片７０は、蝶ネジ７３を緩め、突条７９と嵌合する固定ブラケット７１の溝７５を代えて、調整ブラケット７２の前後位置を調整することにより、遊技機毎にその前後傾斜角度を所望角度に微調整することも可能である。
【図面の簡単な説明】
【００２２】
【図１】本発明の実施例に係る遊技機用係止片セット冶具を示す正面側から見た斜視図である。
【図２】同冶具を示す裏面側から見た斜視図である。
【図３】同冶具のベースプレートの前端部の断面図である。
【図４】遊技機用上側係止片を示す斜視図である。
【図５】遊技機用下側係止片を示す斜視図である。
【図６】本発明の実施例に係る遊技機用係止片セット冶具の使用状態を示す正面側から見た斜視図である。
【図７】同冶具の使用状態を示す裏面側から見た斜視図である。
【図８】同冶具を使って上側係止片と下側係止片を固着した遊技機島を示す正面側から見た斜視図である。
【図９】同冶具を使って上側係止片と下側係止片を固着した遊技機島に遊技機を取り付けた状態を示す説明図である。
【図１０】同冶具のベースプレートの使用方法を示す正面側から見た斜視図である。
【符号の説明】
【００２３】
１０…遊技機用係止片セット冶具、２０…ベースプレート、２４…傾斜角度調整ボルト、２９…前後位置調整用ストッパボルト、４１…垂直フレーム、４３…上側掛止片当接プレート、５０…水準器、６０…上側係止片、７０…下側係止片、７１…固定ブラケット、７２…調整ブラケット、７３…蝶ネジ、７５…溝、７７…立面、７８…長穴、７９…凸条、８０…遊技機島、８１…上枠、８４…下枠。
【図１】
2006340882.tif 000003
【図２】
2006340882.tif 000004
【図３】
2006340882.tif 000005
【図４】
2006340882.tif 000006
【図５】
2006340882.tif 000007
【図６】
2006340882.tif 000008
【図７】
2006340882.tif 000009
【図８】
2006340882.tif 000010
【図９】
2006340882.tif 000011
【図１０】
2006340882.tif 000012